(57)【要約】【課題】各チャネル間におけるフロントエンド部の特性のばらつきを補正し、オートプリセット機能、シークストップ機能の誤動作を防止する。【解決手段】コントローラ１８は、チャネルデータをフロントエンド部１２に送出し、映像検波復調部１４から出力されたＡＧＣ信号と音声検波復調部１５から出力されたＳメータ信号とを測定する。この電圧差がチャネル間で同じ値となれば、チャネル間でのＰＳ比はほぼ一定値となり、チャネル間でのばらつきをなくすことができる。コントローラ１８は、この電圧差が予め設定された基準電圧になるように、中間周波増幅器１３に送出する制御信号の信号レベルを設定する。中間周波増幅器１３は、制御信号の信号レベルに基づいて設定された利得でＩＦ映像信号とＩＦ音声信号とを増幅する。【選択図】　図１
2004040606.tif 000002
【特許請求の範囲】
【請求項１】
複数のチャネルの映像信号と音声信号とを含む電波を受信する受信装置において、
受信した電波の中からチャネルを選択するチャネル選択手段と、
前記チャネル選択手段によって選択されたチャネルの映像信号と音声信号との電圧レベルを、前記映像信号の電圧レベルに基づいて調整し、前記映像信号と音声信号との搬送波の周波数を変換して映像中間周波信号と音声中間周波信号とを生成する中間周波信号生成手段と、
前記中間周波信号生成手段が生成した映像中間周波信号と音声中間周波信号とを増幅する中間周波増幅手段と、
前記中間周波増幅手段が増幅した映像中間周波信号と音声中間周波信号との電圧レベル比が予め設定された値となるように、チャネル毎に前記中間周波増幅手段の利得を制御する利得制御手段と、を備えた、
ことを特徴とする受信装置。
【請求項２】
前記中間周波信号生成手段が映像信号と音声信号との電圧レベルを制御するための信号として、前記中間周波増幅手段が増幅した映像中間周波信号の電圧レベルに従って電圧レベルが設定された自動利得制御信号を生成する自動利得制御信号生成手段と、
前記音声中間周波信号の電圧レベルに従って電圧レベルが設定されたシグナルメータ信号を生成するシグナルメータ信号生成手段と、
を備え、
前記利得制御手段は、前記自動利得制御信号生成手段が生成した自動利得制御信号の電圧レベル、前記シグナルメータ信号生成手段が生成したシグナルメータ信号の電圧レベルを、それぞれ、前記中間周波増幅手段が増幅した映像中間周波信号の電圧レベル、音声中間周波信号の電圧レベルとして、チャネル毎に前記中間周波増幅手段の利得を制御するように構成された、
ことを特徴とする請求項１に記載の受信装置。
【請求項３】
前記チャネル毎に前記中間周波増幅手段の利得を制御するための制御データを記憶する記憶手段を備え、
前記利得制御手段は、前記チャネル選択手段が選択したチャネルの制御データを前記記憶手段から取り出して前記中間周波増幅手段の利得を制御するように構成された、
ことを特徴とする請求項１又は２に記載の受信装置。
【請求項４】
複数のチャネルの映像信号と音声信号とを含む電波を受信して前記電波の中からチャネルを選択するステップと、
前記選択されたチャネルの映像信号と音声信号との電圧レベルを、前記映像信号の電圧レベルに基づいて調整するステップと、
電圧レベルが調整された映像信号と音声信号との搬送波の周波数を変換して映像中間周波信号と音声中間周波信号とを生成するステップと、
前記生成された映像中間周波信号と音声中間周波信号とを増幅するステップと、
前記増幅した映像中間周波信号と音声中間周波信号との電圧レベル比が予め設定された値となるように、チャネル毎に前記映像中間周波信号と音声中間周波信号とを増幅する利得を制御するステップと、を備えた、
ことを特徴とする受信信号処理方法。
【請求項５】
コンピュータに、
複数のチャネルの映像信号と音声信号とを含む電波を受信して前記電波の中からチャネルを選択する手順、
前記選択されたチャネルの映像信号と音声信号との電圧レベルを、前記映像信号の電圧レベルに基づいて調整する手順、
電圧レベルが調整された映像信号と音声信号との搬送波の周波数を変換して映像中間周波信号と音声中間周波信号とを生成する手順、
前記生成された映像中間周波信号と音声中間周波信号とを増幅する手順、
前記増幅した映像中間周波信号と音声中間周波信号との電圧レベル比が予め設定された値となるように、チャネル毎に前記映像中間周波信号と音声中間周波信号とを増幅する利得を制御する手順、
を実行させるためのプログラム。
【発明の詳細な説明】
【０００１】
【発明の属する技術分野】
本発明は、受信装置、受信信号処理方法及びプログラムに関する。
【０００２】
【従来の技術】
カーＴＶ（Ｃａｒ　ＴｅｌｅＶｉｓｉｏｎ）の受信装置では、フロントエンド部がＡＧＣ（Ａｕｔｏｍａｔｉｃ　Ｇａｉｎ　Ｃｏｎｔｒｏｌ：自動利得制御）信号の信号レベルに基づいて電波の受信レベルを調整し、映像信号と音声信号との搬送波の周波数を変換して、それぞれＩＦ（Ｉｎｔｅｒｍｅｄｉａｔｅ　Ｆｒｅｑｕｅｎｃｙ）映像信号とＩＦ音声信号とを生成する。そして、検波復調部が、それぞれ、ＩＦ映像信号、ＩＦ音声信号を検波復調することにより、映像と音声が得られる。
【０００３】
また、カーＴＶの受信装置には、一般に、オートプリセット機能とシークストップ機能とが備えられている。オートプリセット機能は、現在地点で受信状態が良好なチャネルをサーチして、そのチャネル番号をメモリに記憶しておき、チャネルを指定するとメモリからそのチャネル番号を呼び出してチャネルを設定するようにした機能である。このオートプリセット機能を備えることにより、少ない操作でチャネル設定を行うことができる。また、シークストップ機能は、チャネルをシークして受信状態が良好なチャネル位置で自動的にシークをストップさせるようにした機能である。このシークストップ機能を備えることにより、受信状態が良好なチャネルを選択することができる。
【０００４】
シークストップ機能とオートプリセット機能とを実現するためには、局あり又は局なしの判定を行う必要がある。この局あり又は局なしの判定は、音声搬送波の電圧レベルに基づいて行われる。
【０００５】
【発明が解決しようとする課題】
しかし、複数のチャネル間でフロントエンド部の特性、特に、利得対周波数特性にばらつきがある場合、フロントエンド部の後段におけるＰＳ比も複数のチャネル間でばらついてしまう。このＰＳ比は、映像搬送波電力（Ｐ）レベルと音声搬送波電力（Ｓ）レベルとの比であり、ＰＳ比が複数のチャネル間でばらつくと、音声搬送波の電圧レベルもチャネル間でばらつき、局あり又は局なしの判定にも影響する。
【０００６】
例えば、ＰＳ比が複数のチャネル間でばらつくと、あるチャネルにおいて、映像搬送波のレベルに比べて音声搬送波のレベルが低くなる場合がある。この場合、映像搬送波のレベルは良好であるにもかかわらず局なしと誤判定してしまう。その結果、そのチャネルはオートプリセットされず、また、シークストップもされなくなる。
【０００７】
また、もともと、局がない帯域の電波を受信した場合、映像搬送波がなくても、他のチャネルの妨害等によって、音声搬送波のレベルが予め設定された閾値を超えてしまう場合がある。この場合、局ありと誤判定してしまい、オートプリセット機能、シークストップ機能が働いてしまう。
【０００８】
このように、フロントエンド部の特性により、複数のチャネル間でＰＳ比がばらつくと、局あり又は局なしの誤判定により、オートプリセット機能、シークストップ機能が誤動作してしまう。
【０００９】
本発明は、このような従来の問題点に鑑みてなされたもので、誤動作を防止することを可能とする受信装置、受信信号処理方法及びプログラムを提供することを目的とする。
また、本発明は、各チャネル間での特性のばらつきを補正することが可能な受信装置、受信信号処理方法及びプログラムを提供することを目的とする。
【００１０】
【課題を解決するための手段】
この目的を達成するため、本発明の第１の観点に係る受信装置は、
複数のチャネルの映像信号と音声信号とを含む電波を受信する受信装置において、
受信した電波の中からチャネルを選択するチャネル選択手段と、
前記チャネル選択手段によって選択されたチャネルの映像信号と音声信号との電圧レベルを、前記映像信号の電圧レベルに基づいて調整し、前記映像信号と音声信号との搬送波の周波数を変換して映像中間周波信号と音声中間周波信号とを生成する中間周波信号生成手段と、
前記中間周波信号生成手段が生成した映像中間周波信号と音声中間周波信号とを増幅する中間周波増幅手段と、
前記中間周波増幅手段が増幅した映像中間周波信号と音声中間周波信号との電圧レベル比が予め設定された値となるように、チャネル毎に前記中間周波増幅手段の利得を制御する利得制御手段と、を備えるようにした。
【００１１】
前記中間周波信号生成手段が映像信号と音声信号との電圧レベルを制御するための信号として、前記中間周波増幅手段が増幅した映像中間周波信号の電圧レベルに従って電圧レベルが設定された自動利得制御信号を生成する自動利得制御信号生成手段と、
前記音声中間周波信号の電圧レベルに従って電圧レベルが設定されたシグナルメータ信号を生成するシグナルメータ信号生成手段と、
を備え、
前記利得制御手段は、前記自動利得制御信号生成手段が生成した自動利得制御信号の電圧レベル、前記シグナルメータ信号生成手段が生成したシグナルメータ信号の電圧レベルを、それぞれ、前記中間周波増幅手段が増幅した映像中間周波信号の電圧レベル、音声中間周波信号の電圧レベルとして、チャネル毎に前記中間周波増幅手段の利得を制御するように構成されたものであってもよい。
【００１２】
前記チャネル毎に前記中間周波増幅手段の利得を制御するための制御データを記憶する記憶手段を備え、
前記利得制御手段は、前記チャネル選択手段が選択したチャネルの制御データを前記記憶手段から取り出して前記中間周波増幅手段の利得を制御するように構成されたものであってもよい。
【００１３】
本発明の第２の観点に係る受信信号処理方法は、
複数のチャネルの映像信号と音声信号とを含む電波を受信して前記電波の中からチャネルを選択するステップと、
前記選択されたチャネルの映像信号と音声信号との電圧レベルを、前記映像信号の電圧レベルに基づいて調整するステップと、
電圧レベルが調整された映像信号と音声信号との搬送波の周波数を変換して映像中間周波信号と音声中間周波信号とを生成するステップと、
前記生成された映像中間周波信号と音声中間周波信号とを増幅するステップと、
前記増幅した映像中間周波信号と音声中間周波信号との電圧レベル比が予め設定された値となるように、チャネル毎に前記映像中間周波信号と音声中間周波信号とを増幅する利得を制御するステップと、を備えたものである。
【００１４】
本発明の第３の観点に係るプログラムは、
コンピュータに、
複数のチャネルの映像信号と音声信号とを含む電波を受信して前記電波の中からチャネルを選択する手順、
前記選択されたチャネルの映像信号と音声信号との電圧レベルを、前記映像信号の電圧レベルに基づいて調整する手順、
電圧レベルが調整された映像信号と音声信号との搬送波の周波数を変換して映像中間周波信号と音声中間周波信号とを生成する手順、
前記生成された映像中間周波信号と音声中間周波信号とを増幅する手順、
前記増幅した映像中間周波信号と音声中間周波信号との電圧レベル比が予め設定された値となるように、チャネル毎に前記映像中間周波信号と音声中間周波信号とを増幅する利得を制御する手順、
を実行させるためのものである。
【００１５】
【発明の実施の形態】
以下、本発明の実施の形態に係る受信装置を図面を参照して説明する。
本実施の形態に係る受信装置の構成を図１に示す。
本実施の形態に係る受信装置は、アンテナ１１と、フロントエンド部１２と、中間周波増幅器（図中、「ＩＦ−ＡＭＰ」と記す。）１３と、映像検波復調部１４と、音声検波復調部１５と、モニタ部１６と、スピーカ１７と、コントローラ１８と、メモリ１９と、からなる。
【００１６】
アンテナ１１は、複数のチャネルの映像信号と音声信号とを含む電波を受信するためのものである。
【００１７】
フロントエンド部１２は、アンテナ１１が受信した電波のなかからチャネルを選択して、そのチャネルの映像信号と音声信号との搬送波の周波数をダウンコンバートしてＩＦ映像信号とＩＦ音声信号とを生成するものである。
【００１８】
フロントエンド部１２は、映像検波復調部１４から供給されたＡＧＣ信号の電圧レベルに従って選択されたチャネルの映像信号と音声信号との信号レベルを制御する。このＡＧＣ信号は映像搬送波と音声搬送波とのレベルを調整するための信号であり、映像検波復調部１４がＡＧＣ信号をフロントエンド部１２にフィードバックすることにより、映像搬送波の電圧レベルはほぼ一定になる。
【００１９】
中間周波増幅器１３は、フロントエンド部１２が生成したＩＦ映像信号とＩＦ音声信号と中間周波信号を増幅するものである。
【００２０】
映像検波復調部１４は、中間周波増幅器１３が増幅したＩＦ映像信号からＲＧＢ信号と同期信号とを抽出するものである。また、映像検波復調部１４は、映像搬送波を整流平滑することにより直流電圧に変換してＡＧＣ信号を生成し、生成したＡＧＣ信号をフロントエンド部１２に出力する。
【００２１】
音声検波復調部１５は、中間周波増幅器１３が増幅したＩＦ音声信号を検波して音声信号を復調するものである。また、音声検波復調部１５は、音声搬送波を増幅して整流平滑して直流電圧に変換することによりＳメータ（Ｓｉｇｎａｌ　Ｍｅｔｅｒ）信号を生成する。Ｓメータ信号は、音声信号の信号レベルを調整するための信号である。音声検波復調部１５は、生成したＳメータ信号をコントローラ１８に出力する。
【００２２】
また、音声検波復調部１５は、ＳＤ（Ｓｔａｔｉｏｎ　Ｄｅｔｅｃｔｏｒ）信号を生成する。ＳＤ信号は、音声信号の受信レベルを判別するための信号であり、音声検波復調部１５は、音声信号を受信していると「Ｈ」レベルのＳＤ信号をコントローラ１８に出力し、音声信号を受信していなければ「Ｌ」のＳＤ信号をコントローラ１８に出力する。
【００２３】
モニタ部１６は、表示装置として液晶ディスプレイを備え、映像検波復調部１４が抽出したＲＧＢ信号と同期信号とに基づいて、液晶ディスプレイに映像を表示させるものである。
スピーカ１７は、音声検波復調部１５から出力された音声信号に基づいて音声を出力するものである。
【００２４】
コントローラ１８は、ＣＰＵ（Ｃｅｎｔｒａｌ　Ｐｒｏｃｅｓｓｉｎｇ　Ｕｎｉｔ）、ＲＯＭ（Ｒｅａｄ　Ｏｎｌｙ　Ｍｅｍｏｒｙ）、ＲＡＭ（Ｒａｎｄｏｍ　Ａｃｃｅｓｓ　Ｍｅｍｏｒｙ）等を備える。コントローラ１８は、フロントエンド部１２にチャネルデータを送出してチャネルを選択する。
【００２５】
また、コントローラ１８は、映像検波復調部１４が生成したＡＧＣ信号と音声検波復調部１５が生成したＳメータ信号とに基づいて制御信号を生成する。このＡＧＣ信号の電圧レベルとＳメータ信号の電圧レベルとの比がＰＳ比に相当する。コントローラ１８は、生成した制御信号を中間周波増幅器１３に供給する。
【００２６】
中間周波増幅器１３の利得は、制御信号の信号レベルに基づいて設定され、コントローラ１８は、ＰＳ比がチャネル間で一定となるようにチャネル毎に制御信号の信号レベルを設定する。このようにして、コントローラ１８は、中間周波増幅器１３の利得を制御し、フロントエンド部１２の特性のばらつきを補正する。
【００２７】
また、コントローラ１８は、チャネルをシークして受信状態が良好なチャネルで自動的にストップさせるシークストップ処理と指定されたチャネルを呼び出すオートプリセット処理とを実行する。
【００２８】
メモリ１９は、基準電圧と制御データとを記憶するためのものである。基準電圧は、ＰＳ比が複数のチャネル間で予め設定された値となるように、コントローラ１８が生成する制御信号の信号レベルを設定するために基準とされる電圧である。また、制御データは、中間周波増幅器１３の利得を制御するためのデータであり、チャネルデータと、中間周波増幅器１３の利得を制御するための制御信号の信号レベルのデータと、からなる。
【００２９】
次に本実施の形態に係る受信装置の動作を説明する。
アンテナ１１は、複数のチャネルの映像信号と音声信号とを含む電波を受信する。フロントエンド部１２は、コントローラ１８からチャネルデータが送出されると、チャネルデータに基づいてチャネルを選択し、選択したチャネルの電波をダウンコンバートしてＩＦ映像信号とＩＦ音声信号とを生成する。
【００３０】
中間周波増幅器１３は、コントローラ１８から出力された制御信号の信号レベルに基づいて利得と周波数帯域とを設定し、フロントエンド部１２が生成した中間周波信号を増幅する。
【００３１】
映像検波復調部１４は、中間周波増幅器１３が増幅したＩＦ映像信号からＲＧＢ信号と同期信号とを抽出する。映像検波復調部１４は、抽出したＲＧＢ信号と同期信号とをモニタ部１６に出力する。モニタ部１６は、ＲＧＢ信号と同期信号とを液晶ディスプレイに出力し、液晶ディスプレイに映像が表示される。
【００３２】
音声検波復調部１５は、中間周波増幅器１３が増幅したＩＦ音声信号を音声信号に変換する。音声検波復調部１５は、変換した音声信号をスピーカ１７に出力し、音声がスピーカ１７から出力される。
【００３３】
また、映像検波復調部１４は、映像搬送波の信号レベルを直流電圧に変換してＡＧＣ信号を生成し、生成したＡＧＣ信号をフロントエンド部１２に出力する。フロントエンド部１２は、このＡＧＣ信号に基づいて映像信号と音声信号との信号レベルを調整する。音声検波復調部１５は、音声搬送波の信号レベルを直流電圧に変換してＳメータ信号を生成する。
【００３４】
受信装置の生産時、複数のチャネル間でのフロントエンド部１２の特性のばらつきを補正する処理が行われる。この処理は、例えば６ｄＢのＰＳ比を有するＴＶ搬送波をアンテナ１１の端子に供給し、チャネルデータをコントローラ１８に供給して、映像検波復調部１４から出力されたＡＧＣ信号と音声検波復調部１５から出力されたＳメータ信号とをモニタすることにより行われる。
【００３５】
尚、映像搬送波の信号レベルは、ＡＧＣ信号に基づいて制御されているため、ＡＧＣ信号の電圧レベルは一定レベルとなる。従って、ＡＧＣ信号とＳメータ信号との電圧差がＰＳ比に相当することになり、コントローラ１８は、ＡＧＣ信号とＳメータ信号との電圧差に基づいて、制御信号の信号レベルを求める。この処理内容を図２のフローチャートに示す。
【００３６】
コントローラ１８は、供給されたチャネルデータをフロントエンド部１２に送出する（ステップＳ１１）。
【００３７】
コントローラ１８は、映像検波復調部１４から出力されたＡＧＣ信号と音声検波復調部１５から出力されたＳメータ信号を取得する（ステップＳ１２）。
コントローラ１８は、取得したＡＧＣ信号の電圧レベルとＳメータの電圧レベルとの電圧差を測定する（ステップＳ１３）。
【００３８】
コントローラ１８は、基準電圧がメモリ１９に記憶されているか否かを判定する（ステップＳ１４）。
メモリ１９に基準電圧が記憶されていないと判定した場合（ステップＳ１４においてＮｏ）、コントローラ１８は、測定した電圧差を基準電圧としてメモリ１９に記憶する（ステップＳ１５）。
【００３９】
メモリ１９に基準電圧が記憶されていると判定した場合（ステップＳ１４においてＹｅｓ）、コントローラ１８は、測定した電圧差と基準電圧とを比較し、測定した電圧差と基準電圧とがほぼ等しいか否かを判定する（ステップＳ１６）。
【００４０】
測定した電圧差と基準電圧とは等しくないと判定した場合（ステップＳ１６においてＮｏ）、コントローラ１８は、制御信号の信号レベルを変更する（ステップＳ１７）。
【００４１】
コントローラ１８は、信号レベルを変更した制御信号を中間周波増幅器１３に送出する（ステップＳ１８）。そして、コントローラ１８は、同じようにステップＳ１２〜１４の処理を実行する。
【００４２】
測定した電圧差と基準電圧とがほぼ等しいと判定した場合（ステップＳ１６においてＹｅｓ）、コントローラ１８は、チャネルデータと制御信号のデータとを対応させてメモリ１９に記憶する（ステップＳ１９）。
【００４３】
コントローラ１８は、次のチャネルがあるか否かを判定する（ステップＳ２０）。
次のチャネルがあると判定した場合（ステップＳ２０においてＹｅｓ）、コントローラ１８は、次のチャネルデータを指定する（ステップＳ２１）。
そして、コントローラ１８は、ステップＳ１２〜ステップＳ１９の処理を実行する。
次のチャネルがないと判定した場合（ステップＳ２０においてＮｏ）、コントローラ１８は、この処理を終了させる。
【００４４】
このようにＰＳ比がチャネル間で一定となるように調整されて、オートプリセット機能が選択されると、コントローラ１８は、オートプリセット処理を実行する。この処理内容を図３のフローチャートに示す。
【００４５】
コントローラ１８は、チャネルデータと制御信号のデータとをメモリ１９から取り出す（ステップＳ３１）。
コントローラ１８は、チャネルデータをフロントエンド部１２に送出する（ステップＳ３２）。
【００４６】
コントローラ１８は、メモリ１９から取り出した制御データに基づいて制御信号の信号レベルを設定し、この制御信号を中間周波増幅器１３に出力する（ステップＳ３３）。そして、コントローラ１８は、この処理を終了させる。
【００４７】
ＰＳ比が複数のチャネル間でほぼ一定になるため、映像搬送波のレベルに比べて音声搬送波のレベルが低くなるようなチャネルはなくなる。また、映像搬送波が低いレベルであれば、音声搬送波も低いレベルになる。従って、誤って局あり又は局なしと判定することもなく、すべてのチャネルについて、オートプリセット機能は確実に働く。
【００４８】
また、シークストップ機能が選択されると、コントローラ１８は、このシークストップ処理を実行する。この処理内容を図４のフローチャートに示す。
【００４９】
コントローラ１８は、チャネルデータと制御信号のデータとをメモリ１９から取り出す（ステップＳ４１）。
コントローラ１８は、メモリ１９から取り出した制御データのデータに基づいて制御信号の信号レベルを設定し、この制御信号を中間周波増幅器１３に送出する（ステップＳ４２）。
【００５０】
コントローラ１８は、チャネルをシークする（ステップＳ４３）。
コントローラ１８は、ＳＤ信号の信号レベルが「Ｈ」レベルか否かを判別する（ステップＳ４４）。
【００５１】
ＳＤ信号の信号レベルが「Ｈ」レベルではない、即ち、「Ｌ」レベルであると判別した場合（ステップＳ４４においてＮｏ）、コントローラ１８は、局なしと判定してチャネルを変更する（ステップＳ４５）。
【００５２】
ＳＤ信号の信号レベルが「Ｈ」レベルであると判別した場合（ステップＳ４４においてＹｅｓ）、コントローラ１８は、局ありと判定してチャネルストップする（ステップＳ４６）。そして、コントローラ１８は、この処理を終了させる。
【００５３】
シークストップ処理の場合も、オートプリセット処理の場合と同様にＰＳ比がチャネル間で一定となるため、映像搬送波と音声搬送波とは良好なレベルとなり、シークストップ機能は確実に働く。
【００５４】
以上説明したように、本実施の形態によれば、ＰＳ比がチャネル間で一定になるように中間周波増幅器１３の利得を制御するようにしたので、フロントエンド部１２の特定のばらつきに影響されることなく、チャネル間でのばらつきをなくすことができる。
【００５５】
このため、映像搬送波の電圧レベルが適正なレベルであれば音声搬送波の電圧レベルも適正なレベルとなり、音声検波復調部１５から出力されたＳＤ信号に基づいて局あり又は局なしの判定を確実に行うことができる。従って、局あり又は局なしの判定用回路を追加することもなく、オートプリセット機能とシークストップ機能とは正常に働かせることができる。
【００５６】
尚、局がないチャネルを受信した場合に、他のチャネルの妨害等によってＳＤ信号が「Ｈ」レベルになったとしても、ＡＧＣ信号の信号レベルに基づいて映像搬送波の電圧レベルの判定も行っていることになるので、オートプリセット機能、シークストップ機能が働くといった誤動作を防止することができる。
【００５７】
本発明を実施するにあたっては、種々の形態が考えられ、上記実施の形態に限られるものではない。
例えば、受信装置の生産時に、ＡＧＣ信号とＳメータ信号の測定を行わなくても予めフロントエンド部１２のばらつき傾向を把握し、制御データをメモリ１９に記憶しておくこともできる。このようにすれば、処理をさらに簡略化することができる。
【００５８】
また、コンピュータを、再生装置の全部又は一部として動作させ、あるいは、上述の処理を実行させるためのプログラムを、フレキシブルディスク、ＣＤ−ＲＯＭ（Ｃｏｍｐａｃｔ　Ｄｉｓｋ　Ｒｅａｄ−Ｏｎｌｙ　Ｍｅｍｏｒｙ）、ＤＶＤ（Ｄｉｇｉｔａｌ　Ｖｅｒｓａｔｉｌｅ　Ｄｉｓｋ）などのコンピュータ読み取り可能な記録媒体に格納して配布し、これをコンピュータにインストールし、上述の手段として動作させ、あるいは、上述の工程を実行させてもよい。
【００５９】
【発明の効果】
以上説明したように、本発明によれば、誤動作を防止することができる。
【図面の簡単な説明】
【図１】本発明の実施の形態に係る受信装置の構成を示すブロック図である。
【図２】図１のコントローラが実行する利得の補正処理を示すフローチャートである。
【図３】図１のコントローラが実行するオートプリセット処理を示すフローチャートである。
【図４】図１のコントローラが実行するシークストップ処理を示すフローチャートである。
【符号の説明】
１１　アンテナ
１２　フロントエンド部
１３　中間周波増幅器（ＩＦ−ＡＭＰ）
１４　映像検波復調部
１５　音声検波復調部
１８　コントローラ
【図１】
2004040606.tif 000003
【図２】
2004040606.tif 000004
【図３】
2004040606.tif 000005
【図４】
2004040606.tif 000006